【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
制御を行う際に発生する変動データを記憶する遊技制御用変動データ記憶手段を有し、遊技の進行を制御する遊技制御用マイクロコンピュータと、
制御を行う際に発生する変動データを記憶する払出制御用変動データ記憶手段を有し、遊技媒体の払出の制御を行う払出制御用マイクロコンピュータと、
遊技機への電力供給が停止していても前記遊技制御用変動データ記憶手段および前記払出制御用変動データ記憶手段の記憶内容を所定期間保持させることが可能な記憶内容保持手段と、
前記遊技制御用マイクロコンピュータが搭載された遊技制御基板および前記払出制御用マイクロコンピュータが搭載された払出制御基板で用いられる電圧を作成する電源基板と、
遊技機で使用される所定の電源の状態を監視して電源断の発生を検出したときに検出信号を出力する電源監視手段と、
操作に応じて操作信号を出力する初期化操作手段とを備え、
前記遊技制御用マイクロコンピュータは、前記検出信号の入力に応じて、制御状態を前記遊技制御用変動データ記憶手段に保存させるための処理である遊技制御用電力供給停止時処理を実行した後に待機状態に移行し、
前記払出制御用マイクロコンピュータは、前記検出信号の入力に応じて、制御状態を前記払出制御用変動データ記憶手段に保存させるための処理である払出制御用電力供給停止時処理を実行した後に待機状態に移行し、
前記電源監視手段が前記検出信号を出力した後の所定期間経過後に電力供給が停止していないときに、前記待機状態から復帰させるための復帰信号を出力する復帰信号出力手段を備え、
前記遊技制御用マイクロコンピュータは、
電力供給が開始されたときまたは前記復帰信号の入力に応じて、前記初期化操作手段からの操作信号が入力されているか否かを確認する遊技制御側操作信号確認処理を行い、該遊技制御側操作信号確認処理によって、前記初期化操作手段からの操作信号が入力されていることが確認されなかったときには、前記遊技制御用変動データ記憶手段に保存されていた記憶内容にもとづいて制御状態を復旧させる状態復旧処理を行い、
前記遊技制御側操作信号確認処理によって、前記初期化操作手段からの前記操作信号が入力されていることを確認したときには、前記遊技制御用変動データ記憶手段に記憶内容が保存されていても、該遊技制御用変動データ記憶手段の記憶内容を初期化する初期化処理を行い、
前記払出制御用マイクロコンピュータは、
電力供給が開始されたときまたは前記復帰信号の入力に応じて、前記初期化操作手段からの操作信号が入力されているか否かを確認する払出制御側操作信号確認処理を行い、該払出制御側操作信号確認処理によって、前記初期化操作手段からの操作信号が入力されていることが確認されなかったときには、前記払出制御用変動データ記憶手段に保存されていた記憶内容にもとづいて制御状態を復旧させる状態復旧処理を行い、
前記払出制御側操作信号確認処理によって、前記初期化操作手段からの前記操作信号が入力されていることを確認したときには、前記払出制御用変動データ記憶手段に記憶内容が保存されていても、該払出制御用変動データ記憶手段の記憶内容を初期化する初期化処理を行い、
前記電源監視手段は前記電源基板に設けられ、単一の前記電源監視手段から前記遊技制御用マイクロコンピュータおよび前記払出制御用マイクロコンピュータのそれぞれに前記検出信号が分岐して出力される
ことを特徴とする遊技機。
【請求項２】
初期化操作手段からの操作信号は、遊技制御用マイクロコンピュータおよび払出制御用マイクロコンピュータの入力ポート部に入力される
請求項１記載の遊技機。
【請求項３】
遊技媒体を検出するための遊技媒体検出手段を備え、
遊技制御用マイクロコンピュータおよび払出制御用マイクロコンピュータは、初期化操作手段からの操作信号が入力されているか否かを、前記遊技媒体検出手段からの検出信号を判定する遊技媒体検出判定期間よりも短い要求検出判定期間で確認する
請求項１または請求項２記載の遊技機。
【請求項４】
復帰信号出力手段は、払出制御用マイクロコンピュータに復帰信号を出力した後に遊技制御用マイクロコンピュータに復帰信号を出力する
請求項１から請求項３のうちのいずれかに記載の遊技機。
【請求項５】
待機状態は無限ループである
請求項１から請求項４のうちのいずれかに記載の遊技機。
【請求項６】
遊技機への電力供給が開始されたときに、遊技制御用マイクロコンピュータおよび払出制御用マイクロコンピュータに対して動作可能状態にするためのリセット信号を出力するリセット手段と、
遊技媒体を検出するための遊技媒体検出手段とを備え、
電源監視手段は、前記遊技媒体検出手段に供給される電圧よりも高い電圧である第１の検出電圧に低下したときに電源断が発生したとして検出信号を出力し、
前記リセット手段は、前記電源監視手段が監視する電圧と同一の電圧を監視し、該電圧が、前記電源監視手段から検出信号が出力されるときの第１の検出電圧よりも低く、遊技制御用マイクロコンピュータおよび払出制御用マイクロコンピュータの駆動電源電圧よりも高く設定され、前記電源監視手段が前記検出信号を出力した後に前記遊技制御用マイクロコンピュータおよび前記払出制御用マイクロコンピュータが遊技制御用電力供給停止時処理および払出制御用電力供給停止時処理を完了するように設定された第２の検出電圧になったときに、前記遊技制御用マイクロコンピュータおよび前記払出制御用マイクロコンピュータを動作停止状態とするための信号を出力する
請求項１から請求項５のうちのいずれかに記載の遊技機。
【手続補正２】
【補正対象書類名】明細書
【補正対象項目名】００１１
【補正方法】変更
【補正の内容】
【００１１】
【課題を解決するための手段】
本発明による遊技機は、遊技者が所定の遊技を行うことが可能な遊技機であって、制御を行う際に発生する変動データを記憶する遊技制御用変動データ記憶手段を有し、遊技の進行を制御する遊技制御用マイクロコンピュータと、制御を行う際に発生する変動データを記憶する払出制御用変動データ記憶手段を有し、遊技媒体の払出の制御を行う払出制御用マイクロコンピュータと、遊技機への電力供給が停止していても遊技制御用変動データ記憶手段および払出制御用変動データ記憶手段の記憶内容を所定期間保持させることが可能な記憶内容保持手段と、遊技制御用マイクロコンピュータが搭載された遊技制御基板および払出制御用マイクロコンピュータが搭載された払出制御基板で用いられる電圧を作成する電源基板と、遊技機で使用される所定の電源の状態を監視して電源断の発生を検出したときに検出信号を出力する電源監視手段と、操作に応じて操作信号を出力する初期化操作手段とを備え、遊技制御用マイクロコンピュータは、検出信号の入力に応じて、制御状態を遊技制御用変動データ記憶手段に保存させるための処理である遊技制御用電力供給停止時処理を実行した後に待機状態に移行し、払出制御用マイクロコンピュータは、検出信号の入力に応じて、制御状態を払出制御用変動データ記憶手段に保存させるための処理である払出制御用電力供給停止時処理を実行した後に待機状態に移行し、電源監視手段が検出信号を出力した後の所定期間経過後に電力供給が停止していないときに、待機状態から復帰させるための復帰信号を出力する復帰信号出力手段を備え、遊技制御用マイクロコンピュータは、電力供給が開始されたときまたは復帰信号の入力に応じて、初期化操作手段からの操作信号が入力されているか否かを確認する遊技制御側操作信号確認処理を行い、該遊技制御側操作信号確認処理によって、初期化操作手段からの操作信号が入力されていることが確認されなかったときには、遊技制御用変動データ記憶手段に保存されていた記憶内容にもとづいて制御状態を復旧させる状態復旧処理を行い、遊技制御側操作信号確認処理によって、初期化操作手段からの操作信号が入力されていることを確認したときには、遊技制御用変動データ記憶手段に記憶内容が保存されていても、該遊技制御用変動データ記憶手段の記憶内容を初期化する初期化処理を行い、払出制御用マイクロコンピュータは、電力供給が開始されたときまたは復帰信号の入力に応じて、初期化操作手段からの操作信号が入力されているか否かを確認する払出制御側操作信号確認処理を行い、該払出制御側操作信号確認処理によって、初期化操作手段からの操作信号が入力されていることが確認されなかったときには、払出制御用変動データ記憶手段に保存されていた記憶内容にもとづいて制御状態を復旧させる状態復旧処理を行い、払出制御側操作信号確認処理によって、初期化操作手段からの操作信号が入力されていることを確認したときには、払出制御用変動データ記憶手段に記憶内容が保存されていても、該払出制御用変動データ記憶手段の記憶内容を初期化する初期化処理を行い、電源監視手段は電源基板に設けられ、単一の電源監視手段から遊技制御用マイクロコンピュータおよび払出制御用マイクロコンピュータのそれぞれに検出信号が分岐して出力されることを特徴とする。
【手続補正３】
【補正対象書類名】明細書
【補正対象項目名】００１２
【補正方法】変更
【補正の内容】
【００１２】
初期化操作手段からの操作信号は、遊技制御用マイクロコンピュータおよび払出制御用マイクロコンピュータの入力ポート部に入力される。
【手続補正４】
【補正対象書類名】明細書
【補正対象項目名】００１３
【補正方法】変更
【補正の内容】
【００１３】
遊技媒体を検出するための遊技媒体検出手段を備え、遊技制御用マイクロコンピュータおよび払出制御用マイクロコンピュータは、初期化操作手段からの操作信号が入力されているか否かを、遊技媒体検出手段からの検出信号を判定する遊技媒体検出判定期間よりも短い要求検出判定期間で確認するように構成されていてもよい。
【手続補正５】
【補正対象書類名】明細書
【補正対象項目名】００１４
【補正方法】変更
【補正の内容】
【００１４】
復帰信号出力手段は、払出制御用マイクロコンピュータに復帰信号を出力した後に遊技制御用マイクロコンピュータに復帰信号を出力するように構成されていてもよい。
【手続補正６】
【補正対象書類名】明細書
【補正対象項目名】００１５
【補正方法】変更
【補正の内容】
【００１５】
待機状態は、例えば無限ループである。
【手続補正７】
【補正対象書類名】明細書
【補正対象項目名】００１６
【補正方法】変更
【補正の内容】
【００１６】
遊技機への電力供給が開始されたときに、遊技制御用マイクロコンピュータおよび払出制御用マイクロコンピュータに対して動作可能状態にするためのリセット信号を出力するリセット手段と、遊技媒体を検出するための遊技媒体検出手段とを備え、電源監視手段は、遊技媒体検出手段に供給される電圧よりも高い電圧である第１の検出電圧に低下したときに電源断が発生したとして検出信号を出力し、リセット手段は、電源監視手段が監視する電圧と同一の電圧を監視し、該電圧が、電源監視手段から検出信号が出力されるときの第１の検出電圧よりも低く、遊技制御用マイクロコンピュータおよび払出制御用マイクロコンピュータの駆動電源電圧よりも高く設定され、電源監視手段が検出信号を出力した後に遊技制御用マイクロコンピュータおよび払出制御用マイクロコンピュータが遊技制御用電力供給停止時処理および払出制御用電力供給停止時処理を完了するように設定された第２の検出電圧になったときに、遊技制御用マイクロコンピュータおよび払出制御用マイクロコンピュータを動作停止状態とするための信号を出力するように構成されていてもよい。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】０２４７
【補正方法】変更
【補正の内容】
【０２４７】
【発明の効果】
以上のように、本発明によれば、遊技機を、遊技制御用マイクロコンピュータおよび払出制御用マイクロコンピュータが、初期化操作手段が所定の操作状態である場合に記憶内容保持手段によって所定期間保持される記憶内容を初期化することが可能であるとともに、所定の電源の状態があらかじめ定められた所定の状態になったことが検出された場合に電力供給停止時処理を行った後に待機状態に移行し、電源監視手段によって所定の状態になったことが検出された後の所定期間経過後に電力供給が停止していない場合に待機状態から復帰させるための復帰信号を遊技制御用マイクロコンピュータおよび払出制御用マイクロコンピュータに向けて出力可能な復帰信号出力手段を備えた構成としたので、復帰信号によって遊技制御用マイクロコンピュータおよび払出制御用マイクロコンピュータを制御実行状態に復帰させることが可能になり、その結果、ごく短時間で復旧する電源の瞬断等が生じても制御に支障を来すことがないという効果を得ることができ、さらに、記憶内容保持手段によって所定期間保存されている制御状態を容易にクリアすることができる。また、電源監視手段は電源基板に設けられ、単一の電源監視手段から遊技制御用マイクロコンピュータおよび払出制御用マイクロコンピュータのそれぞれに検出信号が分岐して出力されるので、電源監視手段から複数のマイクロコンピュータに検出信号を供給することができ、検出信号を必要とするマイクロコンピュータが幾つあっても電源監視手段は１つ設けられていればよいので、各マイクロコンピュータが復帰制御を行っても遊技機のコストはさほど上昇しない。
【手続補正１３】
【補正対象書類名】明細書
【補正対象項目名】０２４８
【補正方法】削除
【補正の内容】
【手続補正１４】
【補正対象書類名】明細書
【補正対象項目名】０２４９
【補正方法】変更
【補正の内容】
【０２４９】
初期化操作手段からの操作信号が、遊技制御用マイクロコンピュータおよび払出制御用マイクロコンピュータの入力ポート部に入力されるように構成されている場合には、記憶内容保持手段によって所定期間保存されている制御状態をクリアするための構成を簡略化することができる。
【手続補正１５】
【補正対象書類名】明細書
【補正対象項目名】０２５０
【補正方法】削除
【補正の内容】
【手続補正１６】
【補正対象書類名】明細書
【補正対象項目名】０２５１
【補正方法】削除
【補正の内容】
【手続補正１７】
【補正対象書類名】明細書
【補正対象項目名】０２５２
【補正方法】変更
【補正の内容】
【０２５２】
遊技制御用マイクロコンピュータおよび払出制御用マイクロコンピュータが、初期化操作手段からの操作信号が入力されているか否かを、遊技媒体検出手段からの検出信号を判定する遊技媒体検出判定期間よりも短い要求検出判定期間で確認する場合には、初期化操作手段の操作状態を判定する処理と遊技媒体検出を行う処理とを異ならせることができるので、各々のオン判定期間を適切な期間に設定することが容易である。
【手続補正１８】
【補正対象書類名】明細書
【補正対象項目名】０２５３
【補正方法】変更
【補正の内容】
【０２５３】
復帰信号出力手段が払出制御用マイクロコンピュータに復帰信号を出力した後に遊技制御用マイクロコンピュータに復帰信号を出力するように構成されている場合には、復帰信号による各マイクロコンピュータの復帰順序を適切に設定することができ、例えば、復帰直後にマイクロコンピュータから他のマイクロコンピュータに指令信号を送信するような場合に、容易に、受信側のマイクロコンピュータが指令信号を取りこぼさないように構成することができる。
【手続補正１９】
【補正対象書類名】明細書
【補正対象項目名】０２５４
【補正方法】変更
【補正の内容】
【０２５４】
待機状態が無限ループで構成されている場合には、待機状態を容易に形成することができる。すなわち、マイクロコンピュータにおけるプログラム構成が簡略化される。
【手続補正２０】
【補正対象書類名】明細書
【補正対象項目名】０２５５
【補正方法】変更
【補正の内容】
【０２５５】
電源監視手段が、遊技媒体検出手段に供給される電圧よりも高い電圧である第１の検出電圧に低下したときに電源断が発生したとして検出信号を出力するように構成されているので、電源瞬断時のスイッチオン誤検出を防止することができる。また、リセット手段が、電源監視手段が監視する電圧と同一の電圧を監視し、この電圧が電源監視手段から検出信号が出力されるときの第１の検出電圧よりも低く、遊技制御用マイクロコンピュータおよび払出制御用マイクロコンピュータの駆動電源電圧よりも高く設定され、電源監視手段が検出信号を出力した後に遊技制御用マイクロコンピュータおよび払出制御用マイクロコンピュータが遊技制御用電力供給停止時処理および払出制御用電力供給停止時処理を完了するように設定された第２の検出電圧になったときに、遊技制御用マイクロコンピュータおよび払出制御用マイクロコンピュータを動作停止状態とするための信号を出力するように構成されているので、電源監視手段が検出信号を出力するタイミングとリセット手段が動作停止状態とするための信号を出力するタイミングとの差を所望の所定期間に確実に設定することができる。
【手続補正２１】
【補正対象書類名】明細書
【補正対象項目名】０２５６
【補正方法】削除
【補正の内容】